(57)【要約】      （修正有）【課題】ガスケットに捩れが生じているか否かを容易に確認することができ、ガスケット側面に捩れ確認用の突起物を有していないので装着性やシール性を阻害されることもないガスケットを提供する。【解決手段】互いに対向する２部材のうちの一方の部材に設けたガスケット装着溝５２に装着されて他方の部材に密接するガスケット１１であって、ガスケットに捩れが生じているか否かを確認するための線状のペイントマーク１３をガスケット周方向に沿ってガスケット側面１１ｂに付設したことを特徴とする。ペイントマーク１３は、ガスケット１１と異なる彩色よりなる。ガスケット１１は、断面円形、長円形もしくは楕円形を呈するガスケット１１である。ペイントマーク１３は、ガスケット１１をガスケット装着溝５２に装着する前の状態でガスケットに捩れが生じているか否かを確認するものである。【選択図】図１
0003204911.tif 000002
【実用新案登録請求の範囲】
【請求項１】
互いに対向する２部材のうちの一方の部材に設けたガスケット装着溝に装着されて他方の部材に密接するガスケットであって、
前記ガスケットに捩れが生じているか否かを確認するための線状のペイントマークをガスケット周方向に沿ってガスケット側面に付設したことを特徴とするガスケット。
【請求項２】
請求項１記載のガスケットにおいて、
前記ペイントマークは、前記ガスケットと異なる彩色よりなることを特徴とするガスケット。
【請求項３】
請求項１または２記載のガスケットにおいて、
前記ガスケットは、断面円形、長円形もしくは楕円形を呈するガスケットであることを特徴とするガスケット。
【請求項４】
請求項１、２または３記載のガスケットにおいて、
前記ペイントマークは、前記ガスケットを前記ガスケット装着溝に装着する前の状態で前記ガスケットに捩れが生じているか否かを確認するものであることを特徴とするガスケット。
【考案の詳細な説明】
【技術分野】
【０００１】
本考案は、シール技術に係るガスケットに関する。本考案のガスケットは例えば、周長の大きな大型ガスケットとして製造される。また本考案のガスケットは例えば、産業用ガスケットとして用いられる。
【背景技術】
【０００２】
従来から図３に示すように、互いに対向する２部材５１，６１のうちの一方の部材（例えば、筐体）５１に設けたガスケット装着溝５２に装着されて他方の部材（例えば、蓋体）６１に密接するガスケット１１であって、ゴム状弾性体の単体よりなるガスケット１１が広く知られている。
【０００３】
このガスケット１１の平面形状は一般に、筐体５１に設けたガスケット装着溝５２の平面形状に合わせた形状となっており（例えば四角形状でコーナー部にはアール（丸み）が付けられている）、ガスケット１１の断面形状は、断面円形、断面角形、リップ付き等、様々な形状がある。またガスケット１１がガスケット装着溝５２から脱落するのを防止するため、ガスケット１１の側面に脱落防止用の突起１２を周上複数設けたものもある。
【０００４】
ゴム単体のガスケット１１の場合、取り扱う際に捩れ（ねじれ）が生じ易く、捩れが生じても気付かずにガスケット装着溝５２に装着して使用してしまうことがある。この場合、以下の問題を生じるおそれがある。
（１）全体としてフラットな形状のガスケット１１に捩れが生じると、この捩れによりガスケット１１に周上部分的な浮き上がりが生じ、浮き上がった部分はガスケット装着溝５２に正確に嵌め込まれないので、この状態で蓋体６１を閉めることで、ガスケット１１に噛み込み破損を生じることがある。
（２）ガスケット１１の側面に脱落防止用の突起１２が設けられている場合、本来ガスケット１１の側面に位置すべき突起１２が捩れにより蓋体６１のほうを向いてしまい、蓋体６１に接触する。したがってこのように突起１２の向きが変わって突起１２が蓋体６１に接触すると、突起１２の脇ではガスケット１１および蓋体６１間に隙間が生じるので、この隙間から漏れを生じることがある。
【０００５】
尚、筐体および蓋体等の２部材間をシールするガスケットがガスケット装着溝に適正に嵌装されたか否かの判定を容易にできるガスケットとして、図４に示すように、２部材５１，６１間に介装されて２部材５１，６１間をシールする弾性材製ガスケット７１であって、２部材５１，６１のうち一方の部材５１の被シール面にガスケット７１を嵌装し得るガスケット装着溝５２が凹設され、ガスケット７１の側面に組付確認用目印７２が形成され、組付確認用目印７２は、ガスケット７１が装着溝５２に嵌装されたときに、装着溝５２の適所に形成された基準部Ｓとの位置ずれ状態によって、ガスケット７１が装着溝５２に適正に嵌装されたか否かの判定に供し得るよう形成されていることを特徴とするガスケットが開発されている（特許文献１参照）。
【先行技術文献】
【特許文献】
【０００６】
【特許文献１】特開２００７−２８７０号公報
【考案の概要】
【考案が解決しようとする課題】
【０００７】
しかしながら、この特許文献１に掲載された従来技術には、以下の点で不都合がある。
（１）特許文献１に掲載された従来技術は上記したように、ガスケット７１が装着溝５２に適正に嵌装されたか否かの判定を行うもので、ガスケット７１が装着溝５２に装着された後の「装着後の状態」を判定の対象としている。したがって特許文献１に掲載された従来技術は、「装着前の状態」すなわちガスケットが装着溝に装着される前にガスケットに捩れが生じているかを判定の対象としていない。
（２）特許文献１に掲載された従来技術では上記したように、ガスケット７１の側面に組付確認用目印７２が形成されているが、この目印７２は具体的には突起状の立体物（突起物）とされている。しかしながら突起物は固有の高さおよび体積を有しているので、その存在がガスケット７１の装着性やシール性に対する阻害要因となり兼ねない。
【０００８】
本考案は以上の点に鑑みて、ガスケットに捩れが生じているか否かを容易に確認することができ、しかもガスケット側面に捩れ確認用の突起物を有していないので装着性やシール性を阻害されることもないガスケットを提供することを目的とする。
【課題を解決するための手段】
【０００９】
上記目的を達成するため、本考案のガスケットは、互いに対向する２部材のうちの一方の部材に設けたガスケット装着溝に装着されて他方の部材に密接するガスケットであって、前記ガスケットに捩れが生じているか否かを確認するための線状のペイントマークをガスケット周方向に沿ってガスケット側面に付設したことを特徴とする。
【００１０】
線状のペイントマークがガスケット周方向に沿ってガスケット側面に付設されていると、このペイントマークが捩れているか否かを見ることにより、ガスケットに捩れが生じているか否かを確認することが可能とされる。ペイントマークは塗布物であり平面状であって突起物ではないため、ガスケットの装着性やシール性を阻害することもない。
【００１１】
ペイントマークは、ガスケットと異なる彩色とするのが好適であり、これによればペイントマークの視認性を高めることが可能とされる。
【００１２】
ガスケットの断面形状は特に限定されないが、断面形状が断面円形、長円形もしくは楕円形である場合には断面形状に角部がないので、ガスケットに捩れが生じているか否かを判断しにくい。したがって断面円形、長円形もしくは楕円形のガスケットにペイントマークを付設すると、付設による効果が特に大きい。
【００１３】
また、本考案によれば、ガスケットをガスケット装着溝に装着する前の状態でガスケットに捩れが生じているか否かを確認することが可能とされる。
【考案の効果】
【００１４】
本考案によれば、ガスケットに捩れが生じているか否かを容易に確認することができ、しかもガスケット側面に突起物を有していないので装着性やシール性を阻害されることもないガスケットを提供することができる。
【図面の簡単な説明】
【００１５】
【図１】本考案の実施例に係るガスケットを示す図で、（Ａ）はガスケットの要部斜視図、（Ｂ）（Ｃ）は同ガスケットの要部拡大断面図
【図２】同ガスケットに捩れが生じた状態を示す要部平面図
【図３】従来例に係るガスケットを示す図で、（Ａ）はガスケットの斜視図、（Ｂ）（Ｃ）は同ガスケットの要部拡大断面図
【図４】他の従来例に係るガスケットを示す要部断面図
【考案を実施するための形態】
【００１６】
つぎに本考案の実施例を図面にしたがって説明する。
【００１７】
図１に示すように当該実施例に係るガスケット１１は、互いに対向する２部材５１，６１のうちの一方の部材（例えば、筐体）５１に設けたガスケット装着溝５２に装着されて他方の部材（例えば、蓋体）６１に密接するガスケット１１であって、ゴム状弾性体の単体よりなるガスケット１１である。
【００１８】
ガスケット１１の平面形状は、筐体５１に設けたガスケット装着溝５２の平面形状に合わせた形状とされ、具体的には平面四角形の枠状とされ、コーナー部にそれぞれアール（丸み）が付けられている。ガスケット１１の断面形状は、断面楕円形とされている。ガスケット１１の側面には、脱落防止用の突起１２が周上複数一体に設けられている。
【００１９】
また、当該ガスケット１１に捩れが生じているか否かを確認するための線状のペイントマーク１３がガスケット１１の周方向に沿ってガスケット１１の側面に付設されている。
【００２０】
ペイントマーク１３は、ガスケット１１の全周に亙って一定の高さ位置に一定の幅で設けられている。
【００２１】
ペイントマーク１３は、ガスケット１１の内周側の側面１１ａおよび外周側の側面１１ｂの双方にそれぞれ設けられているが、何れか一方の側面のみに設けられても良い。
【００２２】
ペイントマーク１３は、ガスケット１１と異なる彩色が施されており、例えばガスケット１１がゴム材質による黒色系である場合には、白色または黄色のペイントによって施されている。
【００２３】
ペイントマーク１３は、ガスケット１１をガスケット装着溝５２に装着する前の状態でガスケット１１に捩れが生じているか否かを確認するものであって、ガスケット１１に捩れが生じている場合には図２に示すように、ペイントマーク１３も捩れているので、このようにペイントマーク１３が捩れているか否かを見ることにより、ガスケット１１に捩れが生じているか否かを容易に確認することができる。
【００２４】
ガスケット１１に捩れが生じている場合には、捩れを解消してから、ガスケット１１をガスケット装着溝５２に装着する。したがってガスケット１１を全周に亙って正確にガスケット装着溝５２に装着することができ、噛み込み破損が生じたり突起１２が蓋体７１のほうを向いて装着されたりすると云った不具合が発生するのを未然に防止することができる。ペイントマーク１３は塗布物であり平面状であって突起物ではないため、ガスケット１１の装着性やシール性を阻害することがない。
【符号の説明】
【００２５】
１１  ガスケット
１１ａ，１１ｂ  ガスケット側面
１２  突起
１３  ペイントマーク
５１  蓋体（一方の部材）
５２  ガスケット装着溝
６１  蓋体（他方の部材）
【図１】
0003204911.tif 000003
【図２】
0003204911.tif 000004
【図３】
0003204911.tif 000005
【図４】
0003204911.tif 000006